(57)【特許請求の範囲】
【請求項１】
内面に密封部を備えた頂板部と、頂板部の周囲につながるスカート部と、周方向に延びる周状スコアを介して下方に位置する周状バンドと、周状バンドを上下に切り裂くための引き裂き開始部及び案内部とを備えたキャップにおいて、
前記引き裂き開始部は前記周状スコアにつながる切欠き部を有し、前記案内部は前記周状スコアの引き裂き方向で且つ下向きに延びている一対の斜めスコアを有し、前記斜めスコアは上方の主スコアと主スコアよりも短い下方の補助スコアとから成り、主スコアと補助スコアとの間には周方向に延びる伝線防止スコアが形成されていることを特徴とするキャップ。
【請求項２】
前記引き裂き開始部が、案内部近傍に周状バンドへの取付基部を有する把持部を含んでいる請求項１記載のキャップ。
【請求項３】
前記取付基部が、周状スコアの引き裂き方向側に傾斜して下向きに延び、その側部が主スコアに接し、その上部が前記周状スコアにつながる切欠き部に接すると共に、その下部が周方向に延びる伝線防止スコアに接するように形成されている請求項２記載のキャップ。
【請求項４】
容器口部に嵌合固定されるキャップ本体と該キャップ本体に開閉自在に設けられる上蓋とから成り、前記キャップ本体は、内容物注出用開口を形成し得る頂板部と該頂板部の周縁部から延びているスカート部と、スカート部を周方向に切り裂くための周状スコアと、スカート部を上下に切り裂くための案内部、及び引き裂き開始部を備えたキャップにおいて、
前記上蓋とキャップ本体がヒンジにより連結されており、該ヒンジ連結部のスカート部側の付け根部が引き裂き開始部になると共に、前記周状スコアが該引き裂き開始部から少なくともキャップ本体のヒンジ連結部の内側に形成され、前記案内部は前記周状スコアの引き裂き方向で且つ下向きに延びている一対の斜めスコアを有し、前記斜めスコアは上方の主スコアと主スコアよりも短い下方の補助スコアとから成り、主スコアと補助スコアとの間には周方向に延びる伝線防止スコアが形成されていることを特徴とするキャップ。
【発明の詳細な説明】
【０００１】
【発明の属する技術分野】
本発明は、打栓時のスコアの破断が防止されたプラスチックキャップに関するものであり、より詳細には、開封又は廃棄の際にはキャップを容器口部から容易且つ確実に取り外すことが可能であると共に、打栓時にはキャップ取り外しのためのスコアの破断が有効に防止されたキャップに関する。
【０００２】
【従来の技術】
プラスチックキャップにおいては、ガラス瓶等の容器に取り付けられた場合は、分別廃棄の要求から、内容物使用後には、キャップを容器口部から取り外せることが必要である。このような分別廃棄性を有するキャップとして、容器口部に嵌合固定されるキャップのスカート部にスコアを設け、内容物使用後にはこのスコアを破断してキャップを破壊することにより、容器口部から取り外せるようにしたものが知られている（例えば、実開平４−１１８３４３号公報）。
一方、内容物の安全性を確保するために、キャップが一旦開封されたものであることを明示するキャップも提案されており、キャップの開封に際してはキャップのスカート部下端にスコアを介して設けられたタンパーエビデントバンド（ＴＥバンド）がスコアの破断により取り外され、一目で開封されたものであることが明示されるようにしたものが知られている（例えば、特許第２７４３１６０号特許公報）。
【０００３】
一般にプラスチックキャップは、打栓操作により容器口部に嵌合固定される。この際、キャップ本体の係合用突起は容器口部の係合用突起を乗り越えなければならないため、キャップ本体のスカート部はその径を増す方向に拡がって、スカート部またはＴＥバンドのような周状バンドには周方向に応力が生じ、この応力がキャップの軸方向に延びるスコアに直接作用し、前述したようなスコアが設けられたキャップでは、打栓操作によりスコアが破断されてしまうという問題がある。
【０００４】
このように打栓操作において破断されるスコアはキャップ軸方向に延びるスコアであることから、打栓操作によるスコア破断を防止するために、スコアの形状を、引き裂き開始部から斜め方向に延びるスコア、周方向に延びるスコア、軸方向にスカート部下端まで延びるスコアの組合せから成るものが提案されている（特開平８−１５６９６０号公報）。
【０００５】
【発明が解決しようとする課題】
上記キャップにおいては、打栓操作によるスコアの破断が生じる割合は、従来のキャップの軸方向にのみスコアが形成されたものに比してかなり低減されているが、更にスコア破断の生じる割合を可級的に低減させることが要求される。
従って、本発明の目的は、打栓によりキャップに設けられたスコアが破断することが有効に防止されたキャップを提供するにある。また本発明の他の目的は、開封時またはキャップ廃棄時には容易且つ確実にスコアを破断でき、開封性または分別廃棄性に優れたキャップを提供するにある。
【０００６】
【課題を解決するための手段】
本発明の第一の態様によれば、内面に密封部を備えた頂板部と、頂板部の周囲につながるスカート部と、周方向に延びる周状スコアを介して下方に位置する周状バンドと、周状バンドを上下に切り裂くための引き裂き開始部及び案内部とを備えたキャップにおいて、  前記引き裂き開始部は前記周状スコアにつながる切欠き部を有し、前記案内部は前記周状スコアの引き裂き方向で且つ下向きに延びている一対の斜めスコアを有し、前記斜めスコアは上方の主スコアと主スコアよりも短い下方の補助スコアとから成り、主スコアと補助スコアとの間には周方向に延びる伝線防止スコアが形成されていることを特徴とするキャップが提供される。
本発明の第一の態様では、前記引き裂き開始部が、案内部近傍に周状バンドへの取付基部を有する把持部を含んでおり、この取付基部が、引き裂き方向側に傾斜して下向きに延び、その側部が主スコアに接し、その上部が前記周状スコアにつながる切欠き部に接すると共に、その下部が周方向に延びる伝線防止スコアに接するように形成されていることが特に好ましい。
【０００７】
本発明の第二の態様によればまた、容器口部に嵌合固定されるキャップ本体と該キャップ本体に開閉自在に設けられる上蓋とから成り、前記キャップ本体は、内容物注出用開口を形成し得る頂板部と該頂板部の周縁部から延びているスカート部と、スカート部を周方向に切り裂くための周状スコアと、スカート部を上下に切り裂くための案内部、及び引き裂き開始部を備えたキャップにおいて、前記上蓋とキャップ本体がヒンジにより連結されており、該ヒンジ連結部のスカート部側の付け根部が引き裂き開始部になると共に、前記周状スコアが該引き裂き開始部から少なくともキャップ本体のヒンジ連結部の内側に形成され、前記案内部は前記周状スコアの引き裂き方向で且つ下向きに延びている一対の斜めスコアを有し、前記斜めスコアは上方の主スコアと主スコアよりも短い下方の補助スコアとから成り、主スコアと補助スコアとの間には周方向に延びる伝線防止スコアが形成されていることを特徴とするキャップが提供される。
【０００９】
【発明の実施形態】
本発明は、スカート部と周方向に延びるスコア（周状スコア）を介してスカート部下方に位置する周状バンドを有するプラスチックキャップ（第一の態様）や、上蓋と容器口部に嵌合されるキャップ本体とから成るプラスチックキャップ（第二の態様）や、上蓋と容器口部に嵌合されるキャップ本体、更にキャップ本体のスカート部の外面を覆って二重壁を構成する外筒とから成るプラスチックキャップ（第三の態様）において、周状バンド、キャップ本体のスカート部、外筒に設けられた引き裂き方向且つ下向きのスコアが、打栓操作により意に反して破断されるのを有効に防止することができる一方、開封または廃棄の際の意図的なスコアの破断は容易に行うことができる、開封性または廃棄性に優れたものである。
【００１０】
一般に、キャップの開封または廃棄のためにスコアを意図的に破断する場合は、まず周状バンド，キャップ本体スカート部，外筒に設けられたキャップ軸方向スコアをキャップの上方から下方に向けて破断して周状バンド等を割り、次いで第一及び第二の態様においては周状スコア、第三の態様においてはキャップ本体と外筒の間の橋絡部を破断することにより、キャップが容器口部から容易に取り外すことが可能となる。これに対し、打栓操作により周状バンド等に設けられたキャップ軸方向スコアが破断するのは、軸方向スコアの下端（すなわち周状バンド等の下端）からの破断であり、従って打栓操作によるキャップ軸方向スコアの破断を防止するには下端から上端に向けてのスコアの破断を抑制することが重要になる。
【００１１】
本発明においては、このような観点から、第一の態様においては周状バンド、第二の態様においてはキャップ本体スカート部、第三の態様においては外筒に設けられ、周状バンド等を軸方向に破断するためのスコアである案内部（引き裂き方向且つ下向きに延びるスコア）が、▲１▼周状バンド等の上方に位置し、引き裂き方向且つ下向きに延びている斜め方向の主スコア、▲２▼周状バンドまたはスカート部の下方に位置し、主スコアと段違い且つほぼ同方向の斜め方向で、主スコアよりも短い補助スコア、▲３▼主スコアと補助スコアとの間に位置し、周方向に延びる短い伝線防止スコア、の組合せから成るものを採用することが重要な特徴である。
【００１２】
前述した通り、打栓操作により容器口部に嵌合固定されるキャップにおいて、キャップ内面に設けられた係合用突起と容器口部に設けられた係合用突起が係合することにより、キャップが容器口部に固定される。従って、キャップの打栓操作においては、キャップ内面に設けられた係合用突起は容器口部の係合用突起を乗り越えなければならず、このためキャップのスカート部や周状バンド等はその径を増す方向に拡がる。このためスカート部や周状バンドには周方向に応力が生じ、周方向に対し垂直に延びる軸方向スコアは破断されやすい。その一方、周方向のスコアは打栓操作によっては影響を受けにくく、また引き裂き方向且つ下向きに延びるスコアが破断した場合でも周方向のスコアに接続されていれば、スコアの破断は周方向のスコアのところで停止する。
【００１３】
従って本発明のキャップにおいては、周状バンド，キャップ本体スカート部，外筒に設けられる案内部（引き裂き方向且つ下向きに延びるスコア）が上方から主スコア、伝線防止スコア、補助スコアの組合せから成り、これらのスコアが何れもキャップ軸方向に平行に延びていないため、打栓操作による周方向の拡がりによっては破断されにくく、また補助スコアの上端で周方向の伝線防止スコアにつながっているので、たとえ補助スコアが破断されたとしても伝線防止スコアでスコアの破断は停止するため、主スコアまでスコア破断がつながることがない、という特徴を有している。更に、補助スコアのスコア長は短いので、たとえ打栓操作により補助スコアのみが破断されたとしてもキャップの密封性やタンパーエビデント性に与える影響は少ないのである。
【００１４】
一方、開封または廃棄のためにスコアを意図的に破断する場合は、まず周状バンド，キャップ本体スカート部，外筒に設けられた案内部を引き裂き方向且つ下向きに切断し、次いで切断された部分から周状スコアを破断して開封またはキャップを破壊することができる。本発明においては、引き裂き開始部につながる主スコアが斜め方向であることから、周状バンド等の引き裂き方向（斜め方向）と周状スコアの引き裂き方向（水平方向）のなす角が小さいので、引き裂きやすく、開封性または廃棄性にも優れたものである。
【００１５】
【実施例】
本発明のキャップを添付図面を用いてより詳細に説明する。
（実施例１）
図１乃至図４に示す本発明のキャップの第一の態様の一例を表すものであり、開封に際して周状バンドを取り外す、タンパーエビデント性を有するキャップである。図１は側面図、図２は平面図、図３は図１のキャップの一部断面図、図４は図１のキャップを容器口部に適用した状態の一部断面図をそれぞれ示す。
【００１６】
全体を１で示すこの態様のキャップは概略的にいって、頂板部２、頂板部２より垂下するスカート部３、スカート部３の下端と周状スコア４を介して一体に成形された周状バンド５から成っている。周状バンド５の上方には、スコアの引き裂き開始部となる把持部６が設けられており、この把持部６は破断可能な弱化部７を介してスカート部３とも連結されている。また、スカート部３下端は、周状リング取外し後の開封用把持部８が設けられている。
頂板部２の内面には容器口部３０に嵌合されて密封性を保持するインナーリング９及び容器口部先端３１に当接する突起１０が設けられている。また、スカート部３の内面側には容器口部３０に設けられた係合面３２と係合する係合突起１１が設けられている。同様に周状バンド５の内面側にも容器口部３０に設けられた係合面３３と係合する係合突起１２が設けられている。
【００１７】
周状バンド５には、把持部６の周状バンド５への取付基部１３の上部１３ａに接し、且つ周状スコア４につながる切欠き部１４が形成されており、この取付基部１３の側部１３ｂ及び切欠き部１４に接するように斜め方向の主スコア１５が設けられている。また、周状バンド５の下部には、下端から主スコアとほぼ同方向且つ段違いに延びる短い補助スコア１６が設けられている。更に、主スコア１５の下端１７ａと、補助スコア１６の上端１７ｂを結びキャップ軸方向に対して垂直なスコアが伝線防止スコア１７となる。
尚、この態様においては、主スコア１５及び周状スコア４は取付基部１３から直接延びているが、取付基部から周方向スコア又は斜め方向スコアを介して設けられていてもよい。
【００１８】
この態様においては、キャップを開封する際は、把持部６を周方向または斜め下方向に引っ張り、主スコア１５，補助スコア１６，伝線防止スコア１７から成る案内部を破断すると共に、周状スコア４を破断し、周状バンド５をスカート部３より取り外す。これにより、キャップは容器口部から取り外し可能になり、開封用把持部８を上方に引き上げると、キャップは開封される。
この態様のキャップは、周状バンドが破壊、取り外しされなければキャップを開封することができないため、キャップが一旦開封されたものであることを明示し、タンパーエビデント性を有している。更に、飲み残した場合などには、再キャップ可能であるという利点もある。
【００１９】
（実施例２）
図４乃至図９は、本発明のキャップの第二の態様の一例を表すものであり、容器口部に嵌合され、頂板部に内容物注出用開口を有するキャップ本体及びキャップ本体の頂板部を覆う上蓋から成るキャップである。図４は正面図、図５は側面図、図６は背面図、図７は上蓋を開いたときの平面図、図８は図７の側断面図、図９は図７の底面図をそれぞれ表す。
【００２０】
全体を４１で表すキャップ本体は、頂板部４２及び頂板部から垂下したスカート部４３から成り、頂板部にはスコア４４で区画された内容物注出用開口となる部分４５及び注出用開口を形成するためのタブ４６、並びにこの注出用開口を取り囲むように形成された注出用ノズル４７が設けられている。また、頂板部内面には、容器口部（図示せず）に嵌合されて容器の密封性を維持するインナーリング４８が設けられている。スカート部内面には容器口部と係合してキャップ本体を容器口部に固定する係合突起４９ａ，４９ｂが設けられている。
【００２１】
一方、上蓋６１は、頂板部６２及び頂板部から垂下するスカート部６３から成り、ヒンジ部６４を介してキャップ本体４１と一体に成形されている。またヒンジ部６４の反対側のスカート部６３の下端には上蓋開栓のための開封用タブ６５が設けられている。また、キャップ本体スカート部４３にはスカート部４３をほぼ一周する周状スコア５０及びスカート部を軸方向に破断するための案内部５１が設けられている。
案内部５１を構成するスコアは、第一の態様と同様に、上方から斜め方向の主スコア５２、伝線防止スコア５３、補助スコア５４から成っている。また、スカート部４３には主スコア５２及び周状スコアの端部に連なる把持部５５が設けられており、把持部５５のスカート部４３への取付基部５６の近傍には切欠き５７が設けられ、把持部５５を引き裂き方向且つ下方に引っ張ることにより、主スコア５２、伝線防止スコア５３、補助スコア５４から成る案内部及び周状スコア５０の破断を容易にしている。
【００２２】
この態様のキャップを開封するときは、上蓋６１を外し、注出口形成用タブ４６を引っ張り、注出口を形成することにより内容物の使用が可能となる。また、内容物を使い終わった後は、分別廃棄のためにキャップを容器から取り外すことができる。すなわち、把持部５５を周方向又は斜め方向に引っ張り、主スコア５２，補助スコア５３，伝線防止スコア５４から成る案内部を破断すると共に、周状スコア５０を破断することにより、スカート部４３が破壊されて、キャップ本体は容器口部から取り外し可能になる。
尚、図に示す具体例では、上蓋はヒンジを介してキャップ本体と一体に成形されているが、勿論、キャップ本体とは別途形成されていもよい。また、この態様においては、主スコア５２は周方向スコア５８、周状スコア５０は斜め方向スコア５９を介して取付基部５６に連なっているが、主スコア及び周方向スコアは取付基部から直接延びていてもよい。更にこの態様では、周状スコア５０は約２３０゜にわたって延びており、切り取られたスカート部を上方に引き上げることにより、キャップを容器口部から容易に取り外すことができる。
この態様のキャップは、注出用開口が形成されるか、またはスカート部が破壊されなければ内容物を使用することができないので、キャップが一旦開封されたものであることを明示するタンパーエビデント性をも有している。
【００２３】
（実施例３）
図１０乃至図１５は、本発明のキャップの第二の態様の他の一例を表すものであり、容器口部に嵌合され、頂板部に内容物注出用開口を有するキャップ本体及びキャップ本体の頂板部を覆う上蓋から成るキャップである。図１０は正面図、図１１は側面図、図１２は背面図、図１３は上蓋を開いたときの平面図、図１４は図１３の側断面図、図１５は図１３の底面図をそれぞれ表す。
【００２４】
このキャップは基本的な構成は前述した図４乃至９に示したキャップと同様であるが、この態様においては、図４乃至９に示したキャップのようにキャップ本体スカート部把持部を設けることなく、上蓋を把持部としてヒンジ部近傍から延びる案内部（上方から主スコア５２、伝線防止スコア５３、補助スコア５４から成る）及び周状スコアを破断してキャップ本体スカート部を破断させる点が顕著な相違点である。
すなわち、図１２及び図１３から明らかなように、ヒンジ部６４の一方の連結部６５（図１２に示す背面図では図面に向かって左側）の側端部からキャップ本体スカート部４３に案内部が延びている。また、この付け根６５からスカート部４３の上端のヒンジ部６４の内側（キャップ本体側）を通って、再びスカート部に戻る周状スコア５０が設けられている。
尚、この態様においては、連結部６５の側端部にはヒンジ連結部上部と主スコア上端を結ぶ軸方向スコア６６が設けられているが、主スコア５２が直接ヒンジ連結部上部に連なっていてもよい。
これにより、内容物使用後にキャップ本体４１を容器口部から取り外す場合には、上蓋６１を引き裂き方向且つ下向きに引っ張ることにより、案内部５１が破断し、次いで上蓋６１を水平方向に引っ張ることによって周状スコア５０が破断されてキャップ本体を容器口部から取り外すことが可能となる。
【００２５】
（実施例４）
図１６乃至図２１は、本発明のキャップの第三の態様の一例を表すものであり、容器口部に嵌合され、頂板部に内容物注出用開口を有するキャップ本体、このキャップ本体スカート部を外側から覆う外筒、及びキャップ本体の頂板部を覆う上蓋から成るキャップである。図１６は正面図、図１７は平面図、図１８は底面図、図１９は背面図、図２０は図１６における右側面図、図２１は図１６のＡ−Ａ線断面図をそれぞれ表す。
【００２６】
この態様においては、前述した第二の態様のキャップ本体スカート部にスリットが設けられ、このスカート部を外側から覆うように設けられた外筒に、案内部及びこれらを破断するための手がかりとなる把持部が設けられている点が、前述した二つの態様と相違する点である。
すなわち、全体を７１で表すキャップは、概略的にいって、キャップ本体７２，キャップ本体に連なる外筒７３，及び上蓋７４から成っている。キャップ本体７２は、頂板部７５及びスカート部７６から成り、頂板部にはスコア７７で区画された内容物注出用開口となる部分７８及び注出用開口を形成するためのタブ７９、並びにこの注出用開口を取り囲むように形成された注出用ノズル８０が設けられている。また、頂板部内面には、容器口部（図示せず）に嵌合されて容器の密封性を維持するインナーリング８１が設けられている。スカート部７６内面には容器口部と係合してキャップ本体を容器口部に固定する係合突起８２が設けられ、またスカート部７６には下端から軸方向に延びるスリット８３が複数個設けられている。
【００２７】
外筒７３はキャップ本体スカート部７６に橋絡部８４を介して一体に設けられ、スカート部７６の外面を覆うように位置している。外筒７３の外面には外筒を軸方向に破断するための案内部８５が設けられている。
案内部８５を構成するスコアは、前述した二つの態様と同様に、上方から斜め方向の主スコア８６、伝線防止スコア８７、補助スコア８８から成っている。また、外筒７３には主スコア８６に連なる把持部８９が設けられており、この把持部８９の近傍には切欠き９０が設けられ、把持部８９を引き裂き方向且つ下方に引っ張ることにより、主スコア８６、伝線防止スコア８７、補助スコア８８から成る案内部の破断を容易にしている。
【００２８】
この態様のキャップにおいては、外筒７３に設けられた把持部８９を引き裂き方向且つ下向きに引っ張ることにより案内部５１が破断され、次いで把持部８９を水平方向に引っ張ることにより、外筒７３とスカート部７６をつなぐ橋絡部８４が破断され、外筒７３がキャップ本体スカート部７６から取り除かれる。キャップ本体スカート部７６にはスリット８３が複数個設けられているので、外筒が取り外された後はキャップ本体は容易に容器口部から取り外すことが可能となる。
この対応において、キャップ本体スカート部と外筒は一体に成形されているが、その成形方法としては、そのような型を用いて一体成形してもよいし、また特開平１０−５９４００号公報に記載されているように、キャップ本体及び外筒を一つの塊として成形後スカート部外面及び外筒内面を形成するように切断面を設けてもよい。
また、図に示す具体例では上蓋は外筒又はキャップ本体とは別途成形され、キャップ本体に螺着するものであるが、勿論、外筒又はキャップ本体の何れかとヒンジを介して一体成形されているような態様でもよい。外筒と一体に設けられている場合には、前述した実施例３のように、上蓋を把持部として外筒に設けられた案内部を破断するようにしてもよい。
【００２９】
本発明においては、案内部を上述したように形成することが重要な特徴であり、打栓操作に付され、開封又は廃棄の際に周状バンドを上下方向に破断するタイプのキャップであれば、上述した態様のキャップに限定されず適用することができる。
また本発明においては、▲１▼周状バンドの上方に位置し、引き裂き方向且つ下向きに延びている斜め方向の主スコア、▲２▼周状バンドまたはスカート部の下方に位置し、主スコアと段違い且つほぼ同方向の斜め方向で、主スコアよりも短い補助スコア、▲３▼主スコアと補助スコアとの間に位置し、周方向に延びる短い伝線防止スコア、の組合せは、上述した具体例に限定されず、種々の態様を採用することもできる。
例えば、比較的長い主スコアを上下二つに分けて下方のスコアを平行に移動して、この上方の主スコアの下端と下方の主スコアの上端を結ぶ伝線防止スコアを設けて主スコアを段違いにして、前述した図に示したものより更に一段多い状態にしてもよい。
【００３０】
本発明においては、周状スコア、主スコア、補助スコア、伝線防止スコアは、周状バンド等の内面または外面の何れに設けられていてもよく、キャップの成形と同時に設けることもできるし、またキャップ成形後に設けることも勿論可能であるが、成形性を考慮すると外面側に設けることが好ましい。
【００３１】
【発明の効果】
本発明によれば、打栓操作に付されるキャップにおいて、周状バンド等に設けられた案内部は引き裂き方向に且つ下向きに延びている段違いでほぼ同方向の斜めスコアを有し、前記斜めスコアは上方の主スコアと主スコアよりも短い下方の補助スコアとから成り、主スコアと補助スコアとの間には周方向に延びる短い伝線防止スコアが形成されていることにより、打栓操作により案内部が破断されることを有効に防止することが可能になると共に、開封または廃棄の際に案内部を意図的に破断しようとする際は、容易且つ確実に案内部を破断することが可能となった。
【図面の簡単な説明】
【図１】本発明のキャップの第一の態様の側面図である。
【図２】図１に示すキャップの平面図である。
【図３】図１に示すキャップの一部側断面図である。
【図４】図１に示すキャップを容器口部に適用した状態の一部側断面図である。
【図５】本発明のキャップの第二の態様の一例の正面図である。
【図６】図５に示すキャップの側面図である。
【図７】図５に示すキャップの背面図である。
【図８】図５に示すキャップにおいて、上蓋が開いた状態の平面図である。
【図９】図５に示すキャップにおいて、上蓋が開いた状態の側断面である。
【図１０】図５に示すキャップにおいて、上蓋が開いた状態の底面面である。
【図１１】本発明のキャップの第二の態様の他の例の正面図である。
【図１２】図１１に示すキャップの側面図である。
【図１３】図１１に示すキャップの背面図である。
【図１４】図１１に示すキャップにおいて、上蓋が開いた状態の平面図である。
【図１５】図１１に示すキャップにおいて、上蓋が開いた状態の側断面である。
【図１６】図１１に示すキャップにおいて、上蓋が開いた状態の底面面である。
【図１７】本発明のキャップの第三の態様の正面図である。
【図１８】図１７に示すキャップの平面図である。
【図１９】図１７に示すキャップの底面図である。
【図２０】図１７に示すキャップの背面図である。
【図２１】図１７に示すキャップの右側面図である。
【図２２】図１７のＡ−Ａ線断面図である。
【図１】
0004330227.tif 000002
【図２】
0004330227.tif 000003
【図３】
0004330227.tif 000004
【図４】
0004330227.tif 000005
【図５】
0004330227.tif 000006
【図６】
0004330227.tif 000007
【図７】
0004330227.tif 000008
【図８】
0004330227.tif 000009
【図９】
0004330227.tif 000010
【図１０】
0004330227.tif 000011
【図１１】
0004330227.tif 000012
【図１２】
0004330227.tif 000013
【図１３】
0004330227.tif 000014
【図１４】
0004330227.tif 000015
【図１５】
0004330227.tif 000016
【図１６】
0004330227.tif 000017
【図１７】
0004330227.tif 000018
【図１８】
0004330227.tif 000019
【図１９】
0004330227.tif 000020
【図２０】
0004330227.tif 000021
【図２１】
0004330227.tif 000022
【図２２】
0004330227.tif 000023